(57)【要約】      （修正有）【課題】センサを無線化し患者の動作自由度を向上させ、生体情報の管理を容易にする。【解決手段】生体情報管理システム１の携帯情報端末２において、ストレージ２４は、患者に装着されて生体情報センサ信号Ｓを無線送信するセンサ３のセンサ識別情報ＳＩＤと患者識別情報ＰＩＤとを関連付けて保存している。プロセッサ２３は、ストレージ２４に保存されているＳＩＤを有するセンサ３から無線通信インターフェース２５が接続要求信号ＣＲを受信すると、ＳＩＤがＰＩＤに関連付けられているかの判断を行なう。プロセッサ２３は、判断に供されたＳＩＤがＰＩＤに関連付けられていない場合、判断に供されたセンサ３との無線接続の確立を拒絶する。プロセッサ２３は、判断に供されたＳＩＤがＰＩＤに関連付けられている場合、判断に供されたセンサ３との無線接続を確立する。無線通信インターフェース２５は、センサ３から送信されたセンサ信号Ｓを受信する。【選択図】図１
2020146371.tif 000002
【特許請求の範囲】
【請求項１】
患者に装着されて当該患者の生体情報に対応するセンサ信号を無線送信するセンサを識別するセンサ識別情報と当該患者を識別する患者識別情報とを関連付けて保存しているストレージと、
少なくとも一つのセンサから接続要求信号を受信するとともに、無線接続が確立されたセンサから前記センサ信号を受信する無線通信インターフェースと、
前記ストレージに保存されている前記センサ識別情報によって識別されるセンサから前記無線通信インターフェースが前記接続要求信号を受信すると、当該センサ識別情報が前記患者識別情報に関連付けられているかの判断を行なうプロセッサと、
を備えており、
前記プロセッサは、
前記判断に供されたセンサ識別情報が前記患者識別情報に関連付けられていない場合、前記判断に供されたセンサとの無線接続の確立を拒絶し、
前記判断に供されたセンサ識別情報が前記患者識別情報に関連付けられている場合、前記判断に供されたセンサからとの無線接続を確立する、
携帯情報端末。
【請求項２】
前記無線接続が所定時間以上切断された場合、前記プロセッサは、前記患者識別情報と前記センサ識別情報の関連付けを解除する、
請求項１に記載の携帯情報端末。
【請求項３】
前記無線接続が所定時間以上切断された後に通信可能状態が回復した場合、前記プロセッサは、
前記携帯情報端末の使用者が前記患者識別情報により識別される前記患者であるかの確認を行ない、
前記携帯情報端末の使用者が前記患者識別情報により識別される前記患者であると確認された場合、前記患者識別情報と前記センサ識別情報の関連付けを維持する、
請求項１に記載の携帯情報端末。
【請求項４】
前記プロセッサに前記患者識別情報と前記センサ識別情報の関連付けを解除させる指示を受け付け可能である、
請求項１から３のいずれか一項に記載の携帯情報端末。
【請求項５】
前記無線通信インターフェースが前記ストレージに保存されている前記センサ識別情報により識別されるセンサから前記接続要求信号を受信した場合、当該センサ識別情報が前記患者識別情報に関連付けられていなければ、前記プロセッサは、前記無線接続の確立を拒絶することを示す情報を、当該センサに対して前記無線通信インターフェースに送信させる、
請求項１から４のいずれか一項に記載の携帯情報端末。
【請求項６】
前記センサ信号に基づいて前記生体情報を表示する表示部を備えている、
請求項１から５のいずれか一項に記載の携帯情報端末。
【請求項７】
ストレージ、無線通信インターフェース、およびプロセッサを備えている携帯情報端末において、前記プロセッサにより実行される生体情報管理方法であって、
患者に装着されて当該患者の生体情報に対応するセンサ信号を無線送信するセンサを識別するセンサ識別情報と当該患者を識別する患者識別情報とを関連付けて前記ストレージに保存し、
前記ストレージに保存されている前記センサ識別情報によって識別されるセンサから前記無線通信インターフェースが接続要求信号を受信すると、当該センサ識別情報が前記患者識別情報に関連付けられているかの判断を行ない、
前記判断に供されたセンサ識別情報が前記患者識別情報に関連付けられていない場合、前記判断に供されたセンサとの無線接続の確立を拒絶し、
前記判断に供されたセンサ識別情報が前記患者識別情報に関連付けられている場合、前記判断に供されたセンサとの無線接続を確立し、
前記無線接続が確立されたセンサから送信された前記センサ信号を、前記無線通信インターフェースによって受信する、
生体情報管理方法。
【請求項８】
請求項７に記載の生体情報管理方法を携帯情報端末に実行させる、
コンピュータプログラム。
【請求項９】
請求項８に記載のコンピュータプログラムが記憶されている、
非一時的かつコンピュータが読み取り可能な記憶媒体。
【発明の詳細な説明】
【技術分野】
【０００１】
本発明は、患者の生体情報を処理するための携帯情報端末、生体情報管理方法、当該生体情報管理方法を携帯情報端末に実行させるコンピュータプログラム、および当該コンピュータプログラムが記憶されている非一時的かつコンピュータが読み取り可能な記憶媒体に関連する。
【背景技術】
【０００２】
特許文献１は、センサと表示装置を含む生体情報測定システムを開示している。センサは、患者に装着されて当該患者の生体情報を取得する。センサは、表示装置に有線接続される。センサは、取得された生体情報に対応する信号を表示装置へ送信する。表示装置は、受信された信号に対応する当該患者の生体情報を表示する。
【０００３】
特許文献２は、センサ、無線送信器、および表示装置を含む生体情報表示システムを開示している。センサは、患者に装着されて当該患者の生体情報を取得する。センサは、無線送信器に有線接続される。無線送信器は、取得された生体情報に対応する信号を表示装置へ無線送信する。表示装置は、受信された信号に対応する当該患者の生体情報を表示する。
【先行技術文献】
【特許文献】
【０００４】
【特許文献１】特開２０１７−０８６６６４号公報
【特許文献２】特開２００５−１６８６００号公報
【発明の概要】
【発明が解決しようとする課題】
【０００５】
装置の軽量化や患者の動作自由度向上の観点から、センサと表示装置の間に存在する有線接続部分の完全な無線化が望まれている。しかしながら、有線接続は、センサが装着された患者と表示装置または無線送信器との関連付けを視覚的に確認する手段になりうる。
【０００６】
例えば特許文献１に記載された構成においては、センサと表示装置が直接的に有線接続されている。この場合、表示装置に表示されている生体情報が、センサが装着されている患者のものであるという事実が一目瞭然である。センサと表示装置の接続が無線化されると、センサが装着されている患者と表示されている生体情報とが関連付けられているとの確信を得るためには、慎重な事前確認作業が必要になる。
【０００７】
特許文献２に記載された構成の場合、表示装置に対しては動作自由度が確保されうる。しかしながら、患者は無線送信器の携帯を義務付けられる。また、センサと無線送信器の接続が無線化されると、両者が同じ患者に関連付けられていることの慎重な事前確認が必要になる。
【０００８】
本発明の目的は、センサを無線化することによって患者の動作自由度を向上させつつも、生体情報の管理を容易にすることである。
【課題を解決するための手段】
【０００９】
上記の目的を達成するための一態様は、携帯情報端末であって、
患者に装着されて当該患者の生体情報に対応するセンサ信号を無線送信するセンサを識別するセンサ識別情報と当該患者を識別する患者識別情報とを関連付けて保存しているストレージと、
少なくとも一つのセンサから接続要求信号を受信するとともに、無線接続が確立されたセンサから前記センサ信号を受信する無線通信インターフェースと、
前記ストレージに保存されている前記センサ識別情報によって識別されるセンサから前記無線通信インターフェースが前記接続要求信号を受信すると、当該センサ識別情報が前記患者識別情報に関連付けられているかの判断を行なうプロセッサと、
を備えており、
前記プロセッサは、
前記判断に供されたセンサ識別情報が前記患者識別情報に関連付けられていない場合、前記判断に供されたセンサとの無線接続の確立を拒絶し、
前記判断に供されたセンサ識別情報が前記患者識別情報に関連付けられている場合、前記判断に供されたセンサとの無線接続を確立する。
【００１０】
上記の目的を達成するための一態様は、ストレージ、無線通信インターフェース、およびプロセッサを備えている携帯情報端末において、前記プロセッサにより実行される生体情報管理方法であって、
患者に装着されて当該患者の生体情報に対応するセンサ信号を無線送信するセンサを識別するセンサ識別情報と当該患者を識別する患者識別情報とを関連付けて前記ストレージに保存し、
前記ストレージに保存されている前記センサ識別情報によって識別されるセンサから前記無線通信インターフェースが前記接続要求信号を受信すると、当該センサ識別情報が前記患者識別情報に関連付けられているかの判断を行ない、
前記判断に供されたセンサ識別情報が前記患者識別情報に関連付けられていない場合、前記判断に供されたセンサとの無線接続の確立を拒絶し、
前記判断に供されたセンサ識別情報が前記患者識別情報に関連付けられている場合、前記判断に供されたセンサとの無線接続を確立し、
前記無線接続が確立されたセンサから送信された前記センサ信号を、前記無線通信インターフェースによって受信する。
【００１１】
上記のような構成によれば、患者識別情報と関連付けられているセンサ識別情報によって特定されるセンサから送信されたセンサ信号に基づく生体情報のみが、携帯情報端末に取得される。よって、有線接続の視認を伴わずとも、携帯情報端末とセンサの誤接続が回避されているとの確信が容易に得られる。特に、ある患者の退床後に別の患者に対して携帯情報端末とセンサが再利用されうる状況下においては、誤接続が回避されているとの確信が得られることの有利性が高い。したがって、センサを無線化することによって患者の動作自由度が向上しつつも、生体情報の管理を容易にできる。
【００１２】
上記の目的を達成するための一態様は、上記の生体情報管理方法を携帯情報端末に実行させる、コンピュータプログラムである。
【００１３】
上記の目的を達成するための一態様は、上記のコンピュータプログラムが記憶されている、非一時的かつコンピュータが読み取り可能な記憶媒体である。
【図面の簡単な説明】
【００１４】
【図１】一実施形態に係る携帯情報端末の機能的構成を例示している。
【図２】センサ識別情報と患者識別情報の関連付けを説明するための図である。
【図３】上記の携帯情報端末により行なわれる処理の流れを例示している。
【図４】上記の携帯情報端末により行なわれる処理の流れを例示している。
【図５】上記の携帯情報端末の動作を説明するための図である。
【図６】上記の携帯情報端末により行なわれる処理の流れを例示している。
【発明を実施するための形態】
【００１５】
添付の図面を参照しつつ、実施形態の例を以下詳細に説明する。図１は、一実施形態に係る生体情報管理システム１の機能的構成を例示している。
【００１６】
生体情報管理システム１は、患者の生体情報を管理するシステムである。生体情報は、各種の生体パラメータの値を含む。生体パラメータとしては、体温、血圧、心電図、脳波、動脈血酸素飽和度（ＳｐＯ２）などが例示されうる。生体情報管理システム１は、携帯情報端末２、センサ３、および患者識別子４を含んでいる。
【００１７】
携帯情報端末２は、表示機能と情報処理機能を有する可搬型の装置である。携帯情報端末２としては、スマートフォン、タブレット端末、ヘッドマウントディスプレイなどが例示されうる。携帯情報端末２の詳細な構成については後述する。
【００１８】
センサ３は、患者に装着されて当該患者の生体情報を取得し、当該生体情報に対応するセンサ信号Ｓを無線送信する装置である。センサ３は、センサ識別子を備えている。センサ識別子は、センサ個体を識別するセンサ識別情報ＳＩＤを保有している。センサ識別情報ＳＩＤは、製造番号を示すテキストやバーコードなどの画像データの態様でセンサの包装やセンサ本体上に提供されてもよいし、非接触通信を介して伝送される非画像データの態様で提供されてもよい。
【００１９】
患者識別子４は、患者個人を識別する患者識別情報ＰＩＤを保有している物体である。患者識別子４としては、患者の腕に装着されるリストバンド、患者の衣服に装着されるネームプレート、患者のベッドや病室に装着されるネームプレートなどが例示されうる。患者識別情報ＰＩＤは、患者氏名や患者番号を示すテキストやバーコードなどの画像データの態様で提供されてもよいし、非接触通信を介して伝送される非画像データの態様で提供されてもよい。
【００２０】
携帯情報端末２は、表示部２０、患者情報取得部２１、センサ情報取得部２２、プロセッサ２３、ストレージ２４、無線通信インターフェース２５、および通信バス２６を備えている。表示部２０、患者情報取得部２１、センサ情報取得部２２、プロセッサ２３、ストレージ２４、および無線通信インターフェース２５は、通信バス２６を介して相互に通信可能に接続されている。
【００２１】
表示部２０は、各種の情報を表示可能に構成されている。表示部２０としては、液晶表示装置や有機ＥＬ表示装置が例示されうる。表示部２０は、タッチ入力を許容するタッチパネル装置を含みうる。
【００２２】
患者情報取得部２１は、患者識別子４から患者識別情報ＰＩＤを取得するように構成されている。患者識別情報ＰＩＤがテキストやバーコードなどの画像情報として提供されている場合、患者情報取得部２１は、当該画像情報を取得可能なカメラを含むように構成されうる。患者識別情報ＰＩＤが非画像データとして提供されている場合、患者情報取得部２１は、当該非画像データを非接触で取得可能な近接場型無線通信（ＮＦＣ）やブルートゥース（登録商標）無線通信が可能な装置を含むように構成されうる。
【００２３】
センサ情報取得部２２は、センサ３からセンサ識別情報ＳＩＤを取得するように構成されている。センサ識別情報ＳＩＤがテキストやバーコードなどの画像情報として提供されている場合、センサ情報取得部２２は、当該画像情報を取得可能なカメラを含むように構成されうる。センサ識別情報ＳＩＤが非画像データとして提供されている場合、センサ情報取得部２２は、当該非画像データを非接触で取得可能な近接場型無線通信（ＮＦＣ）やブルートゥース（登録商標）無線通信が可能な装置を含むように構成されうる。
【００２４】
患者情報取得部２１とセンサ情報取得部２２の機能は、共通の装置により実現されてもよいし、個別の装置により実現されてもよい。
【００２５】
プロセッサ２３は、携帯情報端末２とセンサ３の間で無線通信を確立可能にするペアリングを行なうように構成されている。具体的には、センサ情報取得部２２によって取得されたセンサ識別情報ＳＩＤをストレージ２４に格納する。携帯情報端末２は、ストレージ２４に格納されているセンサ識別情報ＳＩＤを有しているセンサ３から送信されるセンサ信号Ｓを、無線通信インターフェース２５により受信可能にするように構成されている。
【００２６】
無線通信インターフェース２５は、受信したセンサ信号Ｓをプロセッサ２３による処理が可能な形態に変換する適宜の信号変換回路を含みうる。
【００２７】
さらに、プロセッサ２３は、患者情報取得部２１によって取得された患者識別情報ＰＩＤとセンサ情報取得部２２によって取得されたセンサ識別情報ＳＩＤとを関連付ける処理を行なうように構成されている。図２と図３を参照しつつ、当該処理の一例を詳細に説明する。
【００２８】
図２においては、携帯情報端末２として第一携帯情報端末２Ａと第二携帯情報端末２Ｂが示されている。第一携帯情報端末２Ａは、第一患者Ｐ１に割り当てられ、第一患者Ｐ１の生体情報を管理するために使用される。第二携帯情報端末２Ｂは、第二患者Ｐ２に割り当てられ、第二患者Ｐ２の生体情報を管理するために使用される。
【００２９】
図２においては、センサ３として第一センサ３Ａ、第二センサ３Ｂ、および第三センサ３Ｃが示されている。第一センサ３Ａは、第一患者Ｐ１の胸部に装着されている。第二センサ３Ｂは、第一患者Ｐ１の指先に装着されている。第三センサ３Ｃは、第二患者Ｐ２の胸部に装着されている。第一センサ３Ａと第三センサ３Ｃは、例えば心電図を取得するための電極である。第二センサ３Ｂは、例えば動脈血酸素飽和度を取得するためのプローブである。
【００３０】
図２においては、患者識別子４として第一患者識別子４Ａと第二患者識別子４Ｂが示されている。第一患者識別子４Ａは、第一患者Ｐ１の衣服にネームプレートの態様で装着されている。第二患者識別子４Ｂは、第二患者Ｐ２の腕にリストバンドの態様で装着されている。
【００３１】
図３を参照しつつ、第一携帯情報端末２Ａにおいて行なわれる患者識別情報ＰＩＤとセンサ識別情報ＳＩＤの関連付け処理を説明する。
【００３２】
まず、患者情報取得部２１による患者識別情報ＰＩＤの取得がなされる（ＳＴＥＰ３１）。例えば、プロセッサ２３は、ユーザに患者識別情報ＰＩＤの取得を促すメッセージを表示部２０に表示させる。図２に示される例の場合、当該ユーザは、患者情報取得部２１を用いて第一患者Ｐ１の第一患者識別子４Ａから第一患者Ｐ１の患者識別情報ＰＩＤ１を取得する。
【００３３】
続いて、センサ情報取得部２２によるセンサ識別情報ＳＩＤの取得がなされる（ＳＴＥＰ３２）。例えば、プロセッサ２３は、ユーザにセンサ識別情報ＳＩＤの取得を促すメッセージを表示部２０に表示させる。図２に示される例の場合、当該ユーザは、センサ情報取得部２２を用いて第一患者Ｐ１に装着された第一センサ３Ａのセンサ識別情報ＳＩＤ１を取得する。携帯情報端末２とセンサ３の間の無線通信がＢＬＥ（Bluetooth Low Energy）などの通信規格に基づいて行なわれる場合、この処理は、ペアリングに対応している。
【００３４】
携帯情報端末２とセンサ３の間の無線通信がＢＬＥ（Bluetooth Low Energy）などの通信規格に基づいて行なわれる場合、ペアリングを通じてストレージ２４に一旦格納されたセンサ識別情報ＳＩＤは、原則として消去されることなく維持される。
【００３５】
患者識別情報の取得（ＳＴＥＰ３１）とセンサ識別情報の取得（ＳＴＥＰ３２）の順序は、逆でもよい。
【００３６】
患者識別情報の取得とセンサ識別情報の取得の双方が完了した事実がユーザによって第一携帯情報端末２Ａへ通知されると、プロセッサ２３による患者識別情報ＰＩＤとセンサ識別情報ＳＩＤの関連付けがなされる（ＳＴＥＰ３３）。識別情報同士の関連付けは、周知の手法によりなされうる。第一携帯情報端末２Ａへの通知は、所定のボタン（表示部２０に表示されるものを含む）の操作や音声入力によってなされうる。
【００３７】
本例の場合、プロセッサ２３は、第一患者識別子４Ａより取得された患者識別情報ＰＩＤ１を、第一センサ３Ａから取得されたセンサ識別情報ＳＩＤ１に関連付け、ストレージ２４に格納する。すなわち、第一患者Ｐ１に第一センサ３Ａが装着されているという事実を示す情報が、ストレージ２４に格納される。
【００３８】
続いて追加登録の有無が確認される（ＳＴＥＰ３４）。例えば、プロセッサ２３は、追加登録の有無を確認するためのメッセージを表示部２０に表示させる。図２に示される例の場合、第一患者Ｐ１には第二センサ３Ｂも装着されている。したがって、ユーザは、追加登録が必要である旨を第一携帯情報端末２Ａに入力する（ＳＴＥＰ３４においてＹＥＳ）。
【００３９】
この場合、前述した患者識別情報ＰＩＤの取得（ＳＴＥＰ３１）、センサ識別情報ＳＩＤの取得（ＳＴＥＰ３２）、および患者識別情報ＰＩＤとセンサ識別情報ＳＩＤの関連付け（ＳＴＥＰ３３）が繰り返される。一つの携帯情報端末２に割り当てられる患者識別情報ＰＩＤは一つであるので、患者識別情報ＰＩＤの再取得は省略されうる。
【００４０】
図２に示される例の場合、第一患者識別子４Ａから取得された患者識別情報ＰＩＤ１と第二センサ３Ｂから取得されたセンサ識別情報ＳＩＤ２とが関連付けられ、ストレージ２４に格納される。すなわち、第一患者Ｐ１に第二センサ３Ｂが装着されているという事実を示す情報が、ストレージ２４に格納される。
【００４１】
続いて追加登録の有無の確認がなされる（ＳＴＥＰ３４）。図２に示される例の場合、第一患者Ｐ１について追加登録を要するセンサ３は存在しない。したがって、ユーザは、追加登録が不要である旨を第一携帯情報端末２Ａに入力する（ＳＴＥＰ３４においてＮＯ）。これにより、処理は終了する。
【００４２】
第二患者Ｐ２に割り当てられた第二携帯情報端末２Ｂについても、同様の処理が行なわれる。この場合、第二患者識別子４Ｂから取得された患者識別情報ＰＩＤ２と第三センサ３Ｃから取得されたセンサ識別情報ＳＩＤ３とが関連付けられ、ストレージ２４に格納される。すなわち、第二患者Ｐ２に第三センサ３Ｃが装着されているという事実を示す情報が、ストレージ２４に格納される。
【００４３】
次に図４を参照しつつ、携帯情報端末２において行なわれるセンサ３との通信確立処理の例について説明する。
【００４４】
センサ３は、接続要求信号ＣＲを無線送信するように構成されている。接続要求信号ＣＲは、当該センサ３のセンサ識別情報ＳＩＤまたはこれに対応する情報を含んでいる。携帯情報端末２のプロセッサ２３は、無線通信インターフェース２５が接続要求信号ＣＲを受信したかを判断する（ＳＴＥＰ４１）。接続要求信号ＣＲの受信が確認されるまで、当該処理が繰り返される（ＳＴＥＰ４１においてＮＯ）。
【００４５】
無線通信インターフェース２５が接続要求信号ＣＲを受信したと判断されると（ＳＴＥＰ４１においてＹＥＳ）、プロセッサ２３は、接続要求信号ＣＲを送信したセンサ３がペアリング済みであるかを判断する（ＳＴＥＰ４２）。具体的には、プロセッサ２３は、受信された接続要求信号ＣＲに対応するセンサ識別情報ＳＩＤがストレージ２４に格納されているかを判断する。
【００４６】
受信された接続要求信号ＣＲに対応するセンサ識別情報ＳＩＤがストレージ２４に格納されていない場合（ＳＴＥＰ４２においてＮＯ）、その接続要求信号ＣＲを送信したセンサ３とは図３のＳＴＥＰ３２を参照して説明したペアリングがなされていないことを意味する。この場合、プロセッサ２３は、その接続要求信号ＣＲを送信したセンサ３との無線通信の確立を拒絶する（ＳＴＥＰ４３）。例えば、プロセッサ２３は、その接続要求信号ＣＲを無視する。
【００４７】
受信された接続要求信号ＣＲに対応するセンサ識別情報ＳＩＤがストレージ２４に格納されている場合（ＳＴＥＰ４２においてＹＥＳ）、プロセッサ２３は、そのセンサ識別情報ＳＩＤが、患者識別情報ＰＩＤに関連付けられた状態でストレージ２４に格納されているかを判断する（ＳＴＥＰ４４）。
【００４８】
受信された接続要求信号ＣＲに対応するセンサ識別情報ＳＩＤが患者識別情報ＰＩＤに関連付けられていると判断されると（ＳＴＥＰ４４においてＹＥＳ）、プロセッサ２３は、その接続要求信号ＣＲを送信したセンサ３との無線通信の確立を許可する（ＳＴＥＰ４５）。センサ３は、取得した生体情報に対応するセンサ信号Ｓの無線送信を開始し、無線通信インターフェース２５によるセンサ信号Ｓの受信が可能とされる。
【００４９】
例えば、携帯情報端末２の表示部２０において生体情報の表示がなされる。無線通信インターフェース２５によって受信されたセンサ信号Ｓに対応する生体情報は、適宜の処理を経て可視化され、表示部２０に表示される。図２に示される例の場合、第一患者Ｐ１の生体情報として第一センサ３Ａによって取得された心電図と第二センサ３Ｂによって取得された動脈血酸素飽和度が、第一携帯情報端末２Ａの表示部２０に表示される。同様に、第二患者Ｐ２の生体情報として第三センサ３Ｃによって取得された心電図が、第二携帯情報端末２Ｂの表示部２０に表示される。
【００５０】
他方、受信された接続要求信号ＣＲに対応するセンサ識別情報ＳＩＤが患者識別情報ＰＩＤに関連付けられていないと判断されると（ＳＴＥＰ４４においてＮＯ）、プロセッサ２３は、その接続要求信号ＣＲを送信したセンサ３との無線通信の確立を拒絶する（ＳＴＥＰ４３）。例えば、プロセッサ２３は、その接続要求信号ＣＲを無視する。
【００５１】
図５を参照しつつ、上記のような構成の有利性について説明する。本例においては、第一患者Ｐ１に第一携帯情報端末２Ａが割り当てられている。第一患者Ｐ１には、第一センサ３Ａと第二センサ３Ｂが装着されている。第一携帯情報端末２Ａのストレージ２４には、第一センサ３Ａのセンサ識別情報ＳＩＤ１と第二センサ３Ｂのセンサ識別情報ＳＩＤ２の各々が、第一患者Ｐ１の患者識別情報ＰＩＤ１と関連付けられつつ格納されている。第一携帯情報端末２Ａのストレージ２４には、過去にペアリングされたことがある第三センサ３Ｃのセンサ識別情報ＳＩＤ３が、消去されることなく格納されている。
【００５２】
第一携帯情報端末２Ａの無線通信インターフェース２５は、第一患者Ｐ１に装着されていない第四センサ３Ｄからの接続要求信号ＣＲも受信する。しかしながら、第四センサ３Ｄを識別するためのセンサ識別情報ＳＩＤ４はストレージ２４に格納されていないので、第四センサ３Ｄから送信された接続要求信号ＣＲは、無視される（図４のＳＴＥＰ４２においてＮＯ）。
【００５３】
第二携帯情報端末２Ｂが割り当てられている第二患者Ｐ２には、第三センサ３Ｃが装着されている。第二患者Ｐ２が第二携帯情報端末２Ｂからある程度離れると、第三センサ３Ｃと第二携帯情報端末２Ｂの間で確立されていた無線通信が切断される。図５においては、無線通信が切断された状態が破線で示されている。
【００５４】
この状態で第二患者Ｐ２が第一患者Ｐ１に接近すると、第三センサ３Ｃから送信された
接続要求信号ＣＲが、第一携帯情報端末２Ａの無線通信インターフェース２５により受信される。しかしながら、ストレージ２４に格納されている第三センサ３Ｃのセンサ識別情報ＳＩＤ３は、特定の患者識別情報ＰＩＤと関連付けられていないので、第三センサ３Ｃから送信された接続要求信号ＣＲは、無視される（図４のＳＴＥＰ４４においてＮＯ）。
【００５５】
第一携帯情報端末２Ａが、上記のような構成を備えることなく、過去にペアリングされたことがある機器間で自動的に無線通信を確立する仕様に基づいて動作する状況を仮定する。本例のように第三センサ３Ｃのセンサ識別情報ＳＩＤ３が消去されることなくストレージ２４に格納されている場合、第一携帯情報端末２Ａは、第三センサ３Ｃとの間で無線通信を確立しようとする。第三センサ３Ｃが、ペアリングの確立した携帯情報端末とだけ通信を行なう仕様に基づいて動作する場合、第一携帯情報端末２Ａと第三センサ３Ｃの間でペアリングが確立すると、第二携帯情報端末２Ｂにおいて本来行なわれるべき第三センサ３Ｃからの生体情報の取得がなされないだけでなく、第一携帯情報端末２Ａにおいて、本来行なわれるべきでない第三センサ３Ｃからの生体情報の取得がなされてしまう。
【００５６】
換言すると、携帯情報端末２が上記のような構成を備えることにより、患者識別情報ＰＩＤと関連付けられているセンサ識別情報ＳＩＤによって特定されるセンサ３から送信されたセンサ信号Ｓに基づく生体情報のみが、携帯情報端末２に取得される。よって、有線接続の視認を伴わずとも、携帯情報端末２とセンサ３の誤接続が回避されているとの確信が容易に得られる。特に、ある患者の退床後に別の患者に対して携帯情報端末２とセンサ３が再利用されうる状況下においては、誤接続が回避されているとの確信が得られることの有利性が高い。したがって、センサ３を無線化することによって患者の動作自由度が向上しつつも、生体情報の管理を容易にできる。
【００５７】
プロセッサ２３は、無線通信の確立を拒絶するセンサ３による接続要求信号ＣＲへの応答として、当該センサ３へ通信確立を拒絶する旨を通知する信号を、無線通信インターフェース２５に送信させてもよい（図４のＳＴＥＰ４６）。センサ３がそのような通知を受信してユーザに報知する構成を備えている場合、携帯情報端末２との無線通信の確立ができなかった事実を容易に確認でき、ユーザの利便性が向上する。
【００５８】
図６は、何らかの理由により携帯情報端末２とセンサ３の間の無線接続が切断された場合に行なわれる処理を例示している。
【００５９】
プロセッサ２３は、携帯情報端末２とセンサ３の間の無線通信が切断されたかを判断する（ＳＴＥＰ６１）。当該判断は、例えば、無線通信インターフェース２５において受信されるセンサ信号Ｓの信号レベルをモニタすることによってなされうる。当該信号レベルが所定値まで低下した場合、無線通信が切断されたと判断されうる。
【００６０】
無線通信が切断されたと判断されると（ＳＴＥＰ６１においてＹＥＳ）、プロセッサ２３は、通信が切断されてから所定時間が経過したかを判断する（ＳＴＥＰ６２）。当該判断は、内部タイマなどを用いる周知の手法によりなされうる。所定時間は、例えば３０分でありうる。
【００６１】
通信が切断されてから所定時間が経過したと判断されると（ＳＴＥＰ６２においてＹＥＳ）、プロセッサ２３は、ストレージ２４に格納されている患者識別情報ＰＩＤを消去する（ＳＴＥＰ６３）。すなわち、ストレージ２４に格納されているセンサ識別情報ＳＩＤとの関連付けが解除される。
【００６２】
その後、携帯情報端末２がいずれかのセンサ３から接続要求信号ＣＲを受信しても、ストレージ２４には患者識別情報ＰＩＤと関連付けられたセンサ識別情報が存在しないので、携帯情報端末２は、いずれのセンサ３とも無線接続を確立しない（図４のＳＴＥＰ４４においてＮＯ）。
【００６３】
このような構成によれば、センサ３との無線接続が何らかの理由により切断された後で通信可能な状態に復帰しても、携帯情報端末２が意図しないセンサ３との間で無線通信を確立してしまう事態を回避できる。
【００６４】
この場合、患者識別情報ＰＩＤとセンサ識別情報ＳＩＤの関連付けが再度なされる（図３のＳＴＥＰ３３）。
【００６５】
しかしながら、通信が切断されてから所定時間が経過したと判断された後（ＳＴＥＰ６２においてＹＥＳ）、プロセッサ２３は、センサ３との無線通信が復帰したかを判断してもよい（ＳＴＥＰ６４）。当該判断もまた、例えば、無線通信インターフェース２５において受信されるセンサ信号Ｓの信号レベルをモニタすることによってなされうる。当該信号レベルが所定値まで上昇した場合、無線通信が復帰したと判断されうる。
【００６６】
センサ３との無線通信が復帰したと判断されると（ＳＴＥＰ６４においてＹＥＳ）、プロセッサ２３は、携帯情報端末２は、本人確認処理を行なう（ＳＴＥＰ６５）。図５に示される例の場合、第一携帯情報端末２Ａは、自身が割り当てられている患者が第一患者Ｐ１であるかの確認を行なう。例えば、表示部２０に「あなたは第一患者Ｐ１ですか？」という確認メッセージが表示される。確認を受けた者は、適宜の手法により是非の応答を入力する。
【００６７】
本人確認が取得できたと判断されると（ＳＴＥＰ６５においてＹＥＳ）、プロセッサ２３は、ストレージ２４に格納されている患者識別情報ＰＩＤを消去することなく、処理をＳＴＥＰ６１に戻す。すなわち、患者識別情報ＰＩＤとセンサ識別情報ＳＩＤの関連付けが維持される。これにより、携帯情報端末２とセンサ３の無線通信が再開される。
【００６８】
例えば携帯情報端末２が既に再利用に供され、他の患者に割り当てられている場合、本人確認は取得されない（ＳＴＥＰ６５においてＮＯ）。この場合、プロセッサ２３は、ストレージ２４に格納されている患者識別情報ＰＩＤを消去する（ＳＴＥＰ６３）。当該他の患者に対応する患者識別情報ＰＩＤと、当該他の患者に装着されているセンサ３のセンサ識別情報ＳＩＤとの間で、改めて対応付けがなされる。
【００６９】
このような構成によれば、センサ３との無線接続が何らかの理由により切断された場合における患者識別情報ＰＩＤとセンサ識別情報ＳＩＤを対応付け直す処理の頻度を低下させることができる。これにより、生体情報の管理を容易にしつつ、患者の利便性を向上できる。
【００７０】
あるいは、携帯情報端末２は、プロセッサ２３にストレージ２４から患者識別情報ＰＩＤを消去させる指示を受け付け可能とされうる。すなわち、患者識別情報ＰＩＤとセンサ識別情報ＳＩＤの関連付けは、強制的に解除可能とされうる。例えば、当該指示は、不図示のユーザインターフェースをユーザが操作することによって入力されうる。あるいは、専用の無線通信機器より送信された消去指示信号が、無線通信インターフェース２５に受信されてもよい。
【００７１】
このような構成によれば、例えば患者の退床時にこのような消去処理を行なうといった運用が可能になる。これにより、別の患者に割り当てられた携帯情報端末２のストレージ２４内に前の患者の患者識別情報ＰＩＤが残存している事態の回避が容易とされうる。
【００７２】
上述したプロセッサ２３の機能は、汎用メモリと協働して動作する汎用マイクロプロセッサにより実現されうる。汎用マイクロプロセッサとしては、ＣＰＵ、ＭＰＵ、ＧＰＵが例示されうる。汎用メモリとしては、ＲＯＭやＲＡＭが例示されうる。この場合、ＲＯＭには、上述した処理を実行するコンピュータプログラムが記憶されうる。ＲＯＭは、コンピュータプログラムを記憶している記憶媒体の一例である。プロセッサ２３は、ＲＯＭ上に記憶されたプログラムの少なくとも一部を指定してＲＡＭ上に展開し、ＲＡＭと協働して上述した処理を実行する。ストレージ２４は、上記の汎用メモリとして使用されてもよい。プロセッサ２３は、上述した処理を実現するコンピュータプログラムを実行可能なマイクロコントローラ、ＡＳＩＣ、ＦＰＧＡなどの専用集積回路によって実現されてもよい。この場合、ストレージ２４は、プロセッサ２３と同じ素子内にパッケージされてもよい。プロセッサ２３は、汎用マイクロプロセッサと専用集積回路の組合せによって実現されてもよい。
【００７３】
図１に示されるように、携帯情報端末２は、不図示の通信ネットワークを介して外部サーバ５と通信可能に構成されうる。この場合、上述した処理を実行するコンピュータプログラムは、外部サーバ５からネットワークを介してダウンロードされうる。この場合、外部サーバ５は、コンピュータプログラムを記憶している記憶媒体の一例である。あるいは、上述した生体情報管理方法の少なくとも一部は、外部サーバ５のプロセッサにより実行されてもよい。
【００７４】
上記の実施形態は、本発明の理解を容易にするための例示にすぎない。上記の実施形態に係る構成は、本発明の趣旨を逸脱しなければ、適宜に変更・改良されうる。
【００７５】
上記の実施形態においては、患者識別情報ＰＩＤとセンサ識別情報ＳＩＤの関連付けを解除するために、患者識別情報ＰＩＤがストレージ２４から消去されている。しかしながら、患者識別情報ＰＩＤは、必ずしもストレージ２４から消去されることを要しない。例えば、センサ識別情報ＳＩＤとの関連付けがなされているかを示すフラグが患者識別情報ＰＩＤに付与されうる。このフラグの値を変更することによっても患者識別情報ＰＩＤとセンサ識別情報ＳＩＤの関連付けが解除されうる。
【００７６】
上記の実施形態においては、センサ３から送信されるセンサ信号Ｓに対応する生体情報は、携帯情報端末２の表示部２０に表示される。しかしながら、生体情報は、携帯情報端末２とは異なる表示装置に表示されてもよい。
【符号の説明】
【００７７】
２：携帯情報端末、２０：表示部、２３：プロセッサ、２４：ストレージ、２５：無線通信インターフェース、３：センサ、３Ａ：第一センサ、３Ｂ：第二センサ、３Ｃ：第三センサ、３０：情報取得部、３１：無線通信インターフェース、ＰＩＤ：患者識別情報、ＳＩＤ：センサ識別情報、ＣＲ：接続要求信号、Ｓ：センサ信号
【図１】
2020146371.tif 000003
【図２】
2020146371.tif 000004
【図３】
2020146371.tif 000005
【図４】
2020146371.tif 000006
【図５】
2020146371.tif 000007
【図６】
2020146371.tif 000008